(57)【要約】【課題】ディスクの片面を露出させてディスク収納するディスクカートリッジにおいて、ディスクの取り出し性を向上する。【解決手段】第１，２面を有するディスクを、開口部から第１面を外部に露出するよう収納する収納部と、チャッキング開口部と、ヘッド開口部を含むカートリッジ本体、ヘッド開口部を外部に対して開放または閉塞するためのシャッタ、シャッタ上に保持されており回転することでシャッタの開閉動作を行う回転部材、シャッタがチャッキング開口部およびヘッド開口部を閉塞する際回転部材を本体に対して固定するロック部材、シャッタの開閉動作に連動し本体に対してディスクを固定するディスク保持部、開口部内に突出した／突出しない状態をとれる脱落防止部材を備え脱落防止部材に連動しディスク保持部が動作し脱落防止部材が開口部内に突出しない状態ではディスクはディスク保持部により固定されずディスクを開口部より取り出せるカートリッジ。【選択図】図１
2007026561.tif 000002
【特許請求の範囲】
【請求項１】
ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、
前記ディスク収納部の底部上に設けられており、前記ヘッド開口部を外部に対して、開放または閉塞するための第１および第２のシャッタ、
前記ディスク収納部内の前記第１および第２のシャッタ上に保持されており、前記ディスク収納部内で回転することによって、前記第１および第２のシャッタが開閉動作を行うように前記第１および第２のシャッタに係合している回転部材、
前記第１および第２のシャッタが前記チャッキング開口部および前記ヘッド開口部を閉塞する際、前記第１および第２のシャッタもしくは前記回転部材を前記カートリッジ本体に対して固定するロック部材、
前記シャッタの開閉動作に連動して、前記第１および第２のシャッタが前記チャッキング開口部および前記ヘッド開口部を閉塞する際、前記第１および第２のシャッタもしくは前記カートリッジ本体に対してディスクを固定するディスク保持部、
前記ディスク開口部内に突出した状態と突出しない状態とをとることができる脱落防止部材、
前記カートリッジ本体に設けられた軸に回転可動に支持され、前記脱落防止部材と前記回転部材に連動する連結開閉部材を備え、
前記脱落防止部材に連動して、前記ディスク保持部が動作し、前記脱落防止部材が前記ディスク開口部内に突出しない状態では、前記ディスクは前記ディスク保持部により固定されず前記ディスクを前記ディスク開口部より前記ディスクを取り出すことが可能なディスクカートリッジにおいて
前記脱落防止部材を前記ディスク開口部内に突出した状態と突出しない状態に移動できるように前記カートリッジ本体に対して前記脱落防止部材を支持するガイド部を有するディスクカートリッジ。
【請求項２】
前記ガイド部は前記カートリッジ本体に対して前記ディスクの面に垂直な方向に位置を規制する請求項１に記載のディスクカートリッジ。
【請求項３】
前記ガイド部は前記ディスク開口部内に突出した状態と突出しない状態の位置を規制する請求項１に記載のディスクカートリッジ。
【請求項４】
ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、
前記ディスク収納部の底部上に設けられており、前記ヘッド開口部を外部に対して、開放または閉塞するための第１および第２のシャッタ、
前記ディスク収納部内の前記第１および第２のシャッタ上に保持されており、前記ディスク収納部内で回転することによって、前記第１および第２のシャッタが開閉動作を行うように前記第１および第２のシャッタに係合している回転部材、
前記第１および第２のシャッタが前記チャッキング開口部および前記ヘッド開口部を閉塞する際、前記第１および第２のシャッタもしくは前記回転部材を前記カートリッジ本体に対して固定するロック部材、
前記シャッタの開閉動作に連動して、前記第１および第２のシャッタが前記チャッキング開口部および前記ヘッド開口部を閉塞する際、前記第１および第２のシャッタもしくは前記カートリッジ本体に対してディスクを固定するディスク保持部、
前記ディスク開口部内に突出した状態と突出しない状態とをとることができる脱落防止部材、
前記カートリッジ本体に設けられた軸に回転可動に支持され、前記脱落防止部材と前記回転部材に連動する連結開閉部材を備え、
前記脱落防止部材に連動して、前記ディスク保持部が動作し、前記脱落防止部材が前記ディスク開口部内に突出しない状態では、前記ディスクは前記ディスク保持部により固定されず前記ディスクを前記ディスク開口部より前記ディスクを取り出すことが可能なディスクカートリッジおいて
前記連結開閉部材は略Ｖ字形状であるディスクカートリッジ。
【請求項５】
前記連結開閉部材の略Ｖ字形状の屈曲部に設けられている回動孔と係合する軸は前記カートリッジ本体に設けられている請求項４に記載のディスクカートリッジ。
【請求項６】
ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、
前記ディスク収納部の底部上に設けられており、前記ヘッド開口部を外部に対して、開放または閉塞するための第１および第２のシャッタ、
前記ディスク収納部内の前記第１および第２のシャッタ上に保持されており、前記ディスク収納部内で回転することによって、前記第１および第２のシャッタが開閉動作を行うように前記第１および第２のシャッタに係合している回転部材、
前記第１および第２のシャッタが前記チャッキング開口部および前記ヘッド開口部を閉塞する際、前記第１および第２のシャッタもしくは前記回転部材を前記カートリッジ本体に対して固定するロック部材、
前記シャッタの開閉動作に連動して、前記第１および第２のシャッタが前記チャッキング開口部および前記ヘッド開口部を閉塞する際、前記第１および第２のシャッタもしくは前記カートリッジ本体に対してディスクを固定するディスク保持部、
前記ディスク開口部内に突出した状態と突出しない状態とをとることができる脱落防止部材、
前記カートリッジ本体に設けられた軸に回転可動に支持され、前記脱落防止部材と前記回転部材に連動する連結開閉部材を備え、
前記脱落防止部材に連動して、前記ディスク保持部が動作し、前記脱落防止部材が前記ディスク開口部内に突出しない状態では、前記ディスクは前記ディスク保持部により固定されず前記ディスクを前記ディスク開口部より前記ディスクを取り出すことが可能なディスクカートリッジにおいて
前記連結開閉部材の一端に前記回転部材と連動するよう設けられた突起部は、前記ディスク保持部で前記ディスクを固定しない状態では前記回転部材に係合し前記回転部材を連動するが、前記ディスク保持部で前記ディスクを保持しない状態では前記回転部材とは係合しないディスクカートリッジ。
【請求項７】
前記連結開閉部材の一端は前記脱落防止部材と係合する案内溝、もう一端には前記回転部材と連動する突起部が設けられている請求項１、４、６のいずれか１項に記載のディスクカートリッジ。
【発明の詳細な説明】
【技術分野】
【０００１】
本発明は、光ディスク、磁気ディスク等のディスク状の信号記録媒体を、回転可能な状態で収納するディスクカートリッジに関する。
【背景技術】
【０００２】
従来より、ディスク状の信号記録媒体を保持するためのディスクカートリッジが提案されている。
【０００３】
例えば、特許文献１は、片面もしくは両面に信号記録面を有するディスク状の記録媒体（以下ディスクと称する）が、上ハーフおよび下ハーフからなるカートリッジ本体の内部に設けたディスク収納部の中に、完全に覆われた形で収納されるディスクカートリッジを開示している。このカートリッジ本体には、スピンドルモータのターンテーブルおよびクランパがディスクをチャッキングするためのチャッキング開口部と、ヘッドがディスクに対して信号の再生および記録を行うためのヘッド開口部が形成されている。チャッキング開口部とヘッド開口部とは連なっており、カートリッジを携帯して搬送する際、これらの開口部から埃が侵入したりディスクに指紋が付着したりしやすい。このため、これらの開口部を覆うシャッタがディスクカートリッジに形成されている。
【０００４】
しかし、この構造のディスクカートリッジの場合、ディスクカートリッジをディスク装置に挿入してディスクに対して記録再生を行うために、ディスク回転時の面ぶれ、ディスクの反り、およびカートリッジのディスク装置への位置決め誤差を許容するための空間を、上ハーフと下ハーフとの間に形成されるディスクを収納する空間に確保する必要が生じる。このため、カートリッジ本体の厚みが大きくなってしまうという問題点を有していた。
【０００５】
また、下ハーフにはスピンドルモータのターンテーブル用の開口部とヘッド開口部とが設けられ、上ハーフにはクランパ用の開口部が設けられているため、これらを同時に塞ぐためのシャッタは、上ハーフから下ハーフにかけて連なるコの字形状を備えている必要がある。しかし、このような形状のシャッタは高価であるため、ディスクカートリッジの製造コストを上昇させる結果となっていた。
【０００６】
さらに、金属ハブの付いたディスクの場合は磁力によりガタつきの無いように吸引することも可能であるが、ＣＤやＤＶＤといったハブの無い光ディスクの場合、一般にディスクはカートリッジ内で固定されずにフリーの状態にある。このため、ディスク装置内でシャッタが開き、開口部からカートリッジ内に侵入した埃がディスクに付着するという問題点も有していた。また、ディスクのガタつきによりディスクの信号記録面が傷ついたり、ディスクとカートリッジ内壁との衝突により、粉塵を生じ、その粉塵がディスクに付着するという問題点も有していた。
【０００７】
さらに、特許文献２は、片面もしくは両面に信号記録面を有するディスクが、上ハーフおよび下ハーフからなるカートリッジ本体の内部に設けたディスク収納部の中に、完全に覆われた形で収納され、開閉蓋を回動することによりディスク脱着口が開き、ディスクを取り出せるディスクカートリッジを開示している。しかし開閉蓋を開けるためのロック解除が困難であるという問題点や、ディスク脱着口が狭いためにディスク着脱時にディスクを脱着口周辺に接触させディスクを傷つけるという問題点も有していた。
【特許文献１】特開平９−１５３２６４号公報
【特許文献２】特開平９−８１１４６３号公報
【発明の開示】
【発明が解決しようとする課題】
【０００８】
本発明は上記課題を解決し、特に片面のみに記録面を有するディスクを収納するカートリッジにおいて、ディスクをディスクカートリッジ内で保持しガタつきを無くし、ディスクへの埃の付着を低減し、さらに露出したディスクレーベル面を利用することによりデザイン的に優れたディスクカートリッジを提供することを目的とする。また、ディスク脱着時の操作性を向上させ、脱着時のディスクへの傷付きを低減することを目的とする。また、厚みを薄くし、シンプルなシャッタ構成としてディスクカートリッジのコストを低減することを目的とする。
【課題を解決するための手段】
【０００９】
本発明のディスクカートリッジは、ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、前記ディスク収納部の底部上に設けられており、前記ヘッド開口部を外部に対して、開放または閉塞するための第１および第２のシャッタ、前記ディスク収納部内の前記第１および第２のシャッタ上に保持されており、前記ディスク収納部内で回転することによって、前記第１および第２のシャッタが開閉動作を行うように前記第１および第２のシャッタに係合している回転部材、前記第１および第２のシャッタが前記チャッキング開口部および前記ヘッド開口部を閉塞する際、前記第１および第２のシャッタもしくは前記回転部材を前記カートリッジ本体に対して固定するロック部材、前記シャッタの開閉動作に連動して、前記第１および第２のシャッタが前記チャッキング開口部および前記ヘッド開口部を閉塞する際、前記第１および第２のシャッタもしくは前記カートリッジ本体に対してディスクを固定するディスク保持部、前記ディスク開口部内に突出した状態と突出しない状態とをとることができる脱落防止部材、前記カートリッジ本体に設けられた軸に回転可動に支持され、前記脱落防止部材と前記回転部材に連動する連結開閉部材を備え、前記脱落防止部材に連動して、前記ディスク保持部が動作し、前記脱落防止部材が前記ディスク開口部内に突出しない状態では、前記ディスクは前記ディスク保持部により固定されず前記ディスクを前記ディスク開口部よりディスク取り出しが可能なディスクカートリッジにおいて、前記脱落防止部材を前記ディスク開口部内に突出した状態と突出しない状態に移動できるように前記カートリッジ本体に対して前記脱落防止部材を支持するガイド部を有するディスクカートリッジ。
【００１０】
ある好ましい実施形態において、前記ガイド部は前記カートリッジ本体に対して前記ディスクの面に垂直な方向に位置を規制する請求項１に記載のディスクカートリッジ。
【００１１】
ある好ましい実施形態において、前記ガイド部は前記ディスク開口部内に突出した状態と突出しない状態の位置を規制する請求項１に記載のディスクカートリッジ。
【００１２】
また、ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、前記ディスク収納部の底部上に設けられており、前記ヘッド開口部を外部に対して、開放または閉塞するための第１および第２のシャッタ、前記ディスク収納部内の前記第１および第２のシャッタ上に保持されており、前記ディスク収納部内で回転することによって、前記第１および第２のシャッタが開閉動作を行うように前記第１および第２のシャッタに係合している回転部材、前記第１および第２のシャッタが前記チャッキング開口部および前記ヘッド開口部を閉塞する際、前記第１および第２のシャッタもしくは前記回転部材を前記カートリッジ本体に対して固定するロック部材、前記シャッタの開閉動作に連動して、前記第１および第２のシャッタが前記チャッキング開口部および前記ヘッド開口部を閉塞する際、前記第１および第２のシャッタもしくは前記カートリッジ本体に対してディスクを固定するディスク保持部、前記ディスク開口部内に突出した状態と突出しない状態とをとることができる脱落防止部材、前記カートリッジ本体に設けられた軸に回転可動に支持され、前記脱落防止部材と前記回転部材に連動する連結開閉部材を備え、前記脱落防止部材に連動して、前記ディスク保持部が動作し、前記脱落防止部材が前記ディスク開口部内に突出しない状態では、前記ディスクは前記ディスク保持部により固定されず前記ディスクを前記ディスク開口部より前記ディスクを取り出すことが可能なディスクカートリッジおいて、前記連結開閉部材は略Ｖ字形状であるディスクカートリッジ。
【００１３】
ある好ましい実施形態において、前記連結開閉部材の略Ｖ字形状の屈曲部に設けられている回動孔と係合する軸は前記カートリッジ本体に設けられているディスクカートリッジ。
【００１４】
また、ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、前記ディスク収納部の底部上に設けられており、前記ヘッド開口部を外部に対して、開放または閉塞するための第１および第２のシャッタ、前記ディスク収納部内の前記第１および第２のシャッタ上に保持されており、前記ディスク収納部内で回転することによって、前記第１および第２のシャッタが開閉動作を行うように前記第１および第２のシャッタに係合している回転部材、前記第１および第２のシャッタが前記チャッキング開口部および前記ヘッド開口部を閉塞する際、前記第１および第２のシャッタもしくは前記回転部材を前記カートリッジ本体に対して固定するロック部材、前記シャッタの開閉動作に連動して、前記第１および第２のシャッタが前記チャッキング開口部および前記ヘッド開口部を閉塞する際、前記第１および第２のシャッタもしくは前記カートリッジ本体に対してディスクを固定するディスク保持部、前記ディスク開口部内に突出した状態と突出しない状態とをとることができる脱落防止部材、前記カートリッジ本体に設けられた軸に回転可動に支持され、前記脱落防止部材と前記回転部材に連動する連結開閉部材を備え、前記脱落防止部材に連動して、前記ディスク保持部が動作し、前記脱落防止部材が前記ディスク開口部内に突出しない状態では、前記ディスクは前記ディスク保持部により固定されず前記ディスクを前記ディスク開口部より前記ディスクを取り出すことが可能なディスクカートリッジにおいて、前記連結開閉部材の一端に前記回転部材と連動するよう設けられた突起部は、前記ディスク保持部で前記ディスクを固定しない状態では前記回転部材に係合し前記回転部材を連動するが、前記ディスク保持部で前記ディスクを保持しない状態では前記回転部材とは係合しないディスクカートリッジ。
【００１５】
また、前記連結開閉部材の一端は前記脱落防止部材と係合する案内溝、もう一端には前記回転部材と連動する突起部が設けられているディスクカートリッジ。
【発明の効果】
【００１６】
本発明のディスクカートリッジによれば、特に片面のみに記録面を有するディスクを収納するのに適している。カートリッジ本体がディスクの信号記録面のみを覆い、片面を露出させる構造を備えることにより、カートリッジの厚みを小さくできる。また、シャッタを、ディスクカートリッジの片側のみを覆う形状にすることによって、構造の簡素化を図り、シャッタのコストを低下させることができる。また、ディスク保持部あるいはディスク保持部材がディスクをシャッタあるいはカートリッジ本体に押し付けて保持するので、カートリッジ本体内においてディスクがガタつくことを防止でき、ディスクの信号記録面への埃等の付着も防止できる。加えてディスク開口部に露出したディスクレーベル面を利用することによりデザイン的に優れる。また脱落防止部材の開閉操作によりディスク保持を開放し、ディスクを取り出せる状態にするので、ディスクを簡単に着脱すことができる。
【００１７】
したがって、本発明によれば、薄型で、防塵性が高く、デザインに優れ、ディスク着脱も簡単で、種々のドライブ装置に使用可能なディスクカートリッジが提供される。
【発明を実施するための最良の形態】
【００１８】
（実施の形態１）
以下、本発明の実施形態に係わるディスクカートリッジ３０１について、その全体構成を図１を参照して説明する。
【００１９】
ディスクカートリッジ３０１は、カートリッジ下体１１、カートリッジ上体１２、第１のシャッタ２１、第２のシャッタ２２、脱落防止部材２３、ロック部材２４、回転部材２５、連結開閉部材２６、弾性部材２７を備えている。これらの部材は合成樹脂等によって好適に形成される。また、これらの部材は、同じ材料を用いて形成される必要はなく、各部材に要求される強度や外観等を考慮して、各部材に最適な材料が決定される。
【００２０】
カートリッジ下体１１は、内側下面１１ｕを有している。内側下面１１ｕには、外部からディスク１００を回転させるためのスピンドルモータ等のチャッキング部材が侵入できるよう開口したチャッキング開口部１１ｃと、信号（情報）の記録および／または再生を行うヘッドが侵入し、ディスク１００にアクセスできるよう開口したヘッド開口部１１ｈとが設けられている。ヘッド開口部１１ｈとチャッキング開口部１１ｃは連通している。ヘッド開口部１１ｈは、カートリッジ下体１１の側面に達するように設けられており、ヘッド開口部１１ｈの設けられた側面に隣接する側面には凹部１１ｒが設けられている。
【００２１】
以下で詳述するように、内側下面１１ｕには、回転部材２５に設けられた凸部２５ｅおよび２５ｆの先端を受ける溝１１ｅおよび１１ｆが設けられている。溝１１ｅおよび１１ｆは、内側下面１１ｕを貫通していないことが好ましい。また、連結開閉部材２６の回動孔２６ｈを受ける軸１１ｍが設けられている。また、第１のシャッタ２１および第２のシャッタ２２にそれぞれ設けられた回転孔２１ａおよび２２ａを受ける一対の回動軸１１ｐが内側下面１１ｕに設けられている。また、本実施形態では、第１のシャッタ２１および第２のシャッタ２２に回転孔２１ａおよび２２ａを設け、カートリッジ下体１１に回動軸１１ｐを設けているが、第１のシャッタ２１および第２のシャッタ２２に回動軸を設け、カートリッジ下体１１に回転孔を設けてもよい。また、内側下面１１ｕには、ディスクの取り出しを判別するための取り出し履歴ホール１１ｋが設けられている。
【００２２】
第１のシャッタ２１および第２のシャッタ２２は、カートリッジ下体１１の内側下面１１ｕ上に設けられ、ディスク１００がディスクカートリッジ３０１に収納されているときには、ディスク１００の信号記録面（第２の面）１００Ｂと内側下面１１ｕとの間に位置している。第１のシャッタ２１および第２のシャッタ２２は、回転孔２１ａおよび２２ａをそれぞれ有しており、回転孔２１ａおよび２２ａは、カートリッジ下体１１の一対の回動軸１１ｐに挿入されている。このため、第１のシャッタ２１および第２のシャッタ２２は、一対の回動軸１１ｐを中心に回動し、ヘッド開口部１１ｈおよびチャッキング開口部１１ｃを外部に対して開放または閉塞する。第１のシャッタ２１および第２のシャッタ２２が開放状態にあるとき、ディスク１００の第２の面１００Ｂの一部はヘッド開口部１１ｈから外部に露出する。
【００２３】
第１のシャッタ２１および第２のシャッタ２２が閉塞状態にあるとき、ディスク収納部に収納されたディスク１００のセンタホール１００ｈと重なる領域において、孔２０ｈが形成されるように第１のシャッタ２１および第２のシャッタ２２には切り欠きが設けられている。第１のシャッタ２１および第２のシャッタ２２の切り欠きの周縁には、凸部２１ｗおよび２２ｗが形成されている。第１のシャッタ２１および第２のシャッタ２２が閉塞状態にあるとき、凸部２１ｗおよび２２ｗは密接し、ディスク１００のセンタホール１００ｈ近傍の全周に接触する凸部２０ｗを構成する。凸部２０ｗはセンタホール１００ｈからディスク１００の信号記録面１００Ｂ側へ埃が侵入するのを防ぐ。凸部２１ｗおよび２２ｗの孔２０ｈ側には三つの突起２０ｐが形成されている。突起２０ｐの上面は、凸部２１ｗおよび２２ｗの上面よりも高くなっている。突起２０ｐは、第１および第２のシャッタ２１、２２が開閉するときに、ディスク１００の情報記録面である第２の面１００Ｂの情報記録領域外に当接しディスクを上方に持ち上げる。これにより、開閉時に凸部２０ｗが第２の面１００Ｂの情報記録領域に接触し傷付けるのを防止する。
【００２４】
また、第１のシャッタ２１および第２のシャッタ２２が閉塞状態にあるときにディスク収納部内でディスク１００を保持するために、第１のシャッタ２１はディスク保持部２１ｄを有し、第２のシャッタ２２はディスク保持部２２ｃおよび２２ｄを有している。これらのディスク保持部は逆テーパー形状のディスク収納部の底面側に傾斜した斜面を有しており、斜面がディスク１００の外縁部と当接し、がたつきなく保持する働きをする。また第１のシャッタ２１の先端には凸部２１ｃが設けられている。凸部２１ｃは、第１のシャッタ２１および第２のシャッタ２２が閉塞状態にあるとき、カートリッジ下体１１の側面に達したチャッキング開口部１１ｈからディスク１００の側面が露出するのを防ぐ。
【００２５】
以下で詳述するように、第１のシャッタ２１および第２のシャッタ２２は、回転部材２５の凸部２５ｅおよび２５ｆに係合する案内溝２１ｓおよび２２ｓを有している。回転部材２５の凸部２５ｅおよび２５ｆが突き抜けるよう、案内溝２１ｓおよび２２ｓは第１のシャッタ２１および第２のシャッタ２２を貫通している。
【００２６】
回転部材２５は、側壁２５ｉと側壁２５ｉの底部に設けられたディスク受け部２５ａとを含む。側壁２５ｉは、収納されたディスク１００の側面を取り囲むようなサイズと形状を備えた円筒状を有し、切り欠き２５ｄ、２５ｇおよび２５ｈによって分断されている。ディスク受け部２５ａは、平らなリング形状を有しており、その一部に切り欠き２５ｃが設けられている。第１のシャッタ２１および第２のシャッタ２２が開放状態にあるとき、回転部材２５が回転して、切り欠き２５ｃが、ヘッド開口部１１ｈと重なる。言い換えると、回転部材２５が回転することにより、第１のシャッタ２１および第２のシャッタ２２が開放状態となる。また、第１のシャッタ２１および第２のシャッタ２２が閉塞状態の時には、ディスク保持部２１ｄ、２２ｄ、２２ｃと凸部２１ｃがそれぞれ切り欠き２５ｇ、２５ｈ、２５ｄからディスク受け部２５ａ側に突出し、ディスク１００を保持する。ディスク受け部２５ａの下面には、ディスク下体１１側へ突出した凸部２５ｅおよび２５ｆが設けられている。また、側壁２５ｉの外側にはディスクドライブ装置のシャッタ開閉機構と係合する凹部２５ｓおよび歯車２５ｊが設けられている。凹部２５ｓおよび歯車２５ｊは組立後あるいは回転途中にはカートリッジ下体１１の側面凹部１１ｒに突出する。即ち、凹部２５ｓおよび歯車２５ｊは、カートリッジ本体３０１の側面に露出する。また、側壁２５ｉの外側には、後述するロック２４のロック先端部２４ｋと係合するための係合窓２５ｋと、後述する連結開閉部材２６のピン部２６ｐと係合するための凹部２５ｍが設けられている。
【００２７】
カートリッジ上体１２は、ディスク１００の全投影領域を開口する円形のディスク開口部１２ｗを有しており、ディスク開口部１２ｗは、円筒状の側面１２ｉによって規定される。このディスク開口部１２ｗを通してディスク１００をディスクカートリッジ３０１に着脱可能とすることができる。
【００２８】
また、カートリッジ上体１２の上面１２ｄには、上面１２ｄと一体に形成され、開口部１２ｗへ張り出している脱落防止部材１２ｓが形成されている。脱落防止部材１２ｓおよび後述する脱落防止部材２３は、ディスク開口部１２ｗからディスク１００が脱落することを防止する。
【００２９】
特に、ディスクカートリッジをドライブ装置に垂直に挿入して使用する場合において脱落防止の効果を発揮する。脱落防止部材の数は３個以上であってもよい。また、図１に示す以外の他の形状を有する脱落防止部材を設けてもよいし、脱落防止部材を設ける場所も図１に示される以外の場所であってもよい。
【００３０】
カートリッジ上体１２とカートリッジ下体１１とは外縁部で接着もしくは超音波溶着され、あるいは、ねじなどの接続部材を用いて締結されることにより、カートリッジ本体を構成している。また、カートリッジ下体１１の内側下面１１ｕとカートリッジ上体１２の側面１２ｉとは、ディスク１００を収納するディスク収納部を構成している。
【００３１】
ディスク収納部において、側面１２ｉが規定する空間は、ディスク１００が回転しても接触しない程度にディスク１００よりも大きく、ディスク１００は収納部内で回転することが可能である。ディスク収納部の上部はディスク開口部１２ｗとして開放されており、ディスク収納部にセットされたディスク１００の第１の面１００Ａの全面が、ディスク開口部１２ｗから外部に露出される。一方、ディスク１００の情報記録面である第２の面１００Ｂは、内側下面１１ｕに面している。
【００３２】
このような構造を採用することにより、ディスクの両面を覆う従来のカートリッジを形成する場合に較べて、カートリッジ３０１を薄くすることができる。また、ディスク開口部１２ｗからディスクのレーベル面を露出させることができるため、レーベル面（第１の面）１００Ａに書かれたディスクのコンテンツ等を確認することが容易となる。また、レーベル面の意匠を露出させることによって、ディスクが収納されたディスクカートリッジ全体の意匠も優れたものとなる。
【００３３】
ロック部材２４は、回転部材２５の回転をロックする働きをする。ロック部材２４の回動孔２４ｈはカートリッジ下体１１に設けられた回動軸１１ｓに挿入され回動可能な状態となる。ロック先端部２４ｋが回転部材２５の係合窓２５ｋに入り込み付勢する。また解除部２４ｓはディスクカートリッジ３０１の側面に露出している。回転部材２５の回転ロック解除を行うには、ドライブメカニズムにより解除部２４ｓを押圧すればよい。解除部２４ｓを押圧することによりロック部材２４は回動孔２４ｈを中心に回動し、ロック先端部２４ｋは係合窓２５ｋから外れ、ロック解除状態となる。以上の様に、ロック部材２４により、回転部材２５は回転をロックされ、同時にシャッタは開放するのをロックされる。
【００３４】
弾性部材２７はロック部材２４が回転部材２５に確実なロックの働きをする。弾性部材２７のコイル部２７ｈはカートリッジ下体１１に設けられた軸１１ｔに挿入され、ロック部材２４の側面２４ｄを弾性部材２７の端部２７ｄが押圧しロックの働きを強くする。
【００３５】
脱落防止部材２３は、カートリッジ上体１２およびカートリッジ下体１１からなるカートリッジ本体のヘッド開口部１１ｈが設けられた側面と対向する側面に近接し設けられている。脱落防止部材２３の長手方向の両端近傍にはガイド部２３ｊ、２３ｋが設けられている。ガイド部２３ｊ、２３ｋはカートリッジ上体１２に設けられたガイド溝１２ｊ、１２ｋに挿入し、脱落防止部材２３の移動方向を規制する。また、ガイド部２３ｊ、２３ｋの端部には係止爪２３ｃ、２３ｄが設けられており、挿入固定することにより脱落防止部材２３はカートリッジ上体１２よりディスク１００に垂直な方向へ離脱することを防ぐ。また、ガイド部２３ｊ、２３ｋの係止爪２３ｃ、２３ｄに隣接する両方の面２３ｅ、２３ｅ´、２３ｆ、２３ｆ’と、ガイド溝１２ｊ、１２ｋの長手方向の面に隣接する両方の面１２ｅ、１２ｅ´、１２ｆ、１２ｆ´が当接して、移動する位置を規制する。
【００３６】
カートリッジ上体１２には、脱落防止部材２３のガイドピン２３ｍを受ける貫通した規制孔１２ｍが設けられている。ガイドピン２３ｍは後述する連結開閉部材２６に設けられたガイド溝２６ａと係合する。規制孔１２ｍは脱落防止部材が移動する方向に長く設けられている。
【００３７】
上述したように脱落防止部材２３には、履歴ホール２３ｈが設けられている。履歴ホール２３ｈには、蓋材２３ｇが設けられており、履歴ホール２３ｈの開口の一部を柱状の蓋材２３ｇが覆っている。履歴ホール２３ｈの中心は、カートリッジ下体の取出し履歴ホール１１ｋの中心と一致している。また、蓋材２３ｇの一部が取出し履歴ホール１１ｋに挿入されている。
【００３８】
連結開閉部材２６は、脱落防止部材２３及びカートリッジ上体１２とカートリッジ下体１１との間に配置され、連結開閉部材２６は略Ｖ字形状しており、略Ｖ字の屈曲部に回動孔２６ｈが設けられており、回動孔２６ｈをカートリッジ下体１１に設けられた回動軸１１ｍに挿入する。回動軸１１は脱落防止部材２３の投影領域以外の位置にあることが好ましいが、投影領域内であってもよい。一端にはピン部２６ｐが設けられている。ピン部２６ｐは回転部材２５の側面に設けられた凹部２５ｍと係合し、回転部材２５を回転させることができる。
【００３９】
ディスクカートリッジ３０１は図１に示すような各部品の上下関係を維持して組み立てられる。その結果、第１のシャッタ２１および第２のシャッタ２２がカートリッジ下体１１に配置され、これらの上に回転部材２５が位置するように、カートリッジ下体１１とカートリッジ上体１２が接合される。この状態でディスク１００をディスク開口部１２ｗから挿入し、最後に脱落防止部材２３を嵌め込めばディスクカートリッジとして完成する。すなわち、カートリッジ３０１の組立工程とディスク１００の挿入工程を別の場所で行うことができる。例えばディスク１００のみの挿入をクリーンルームで行うことができる。
【００４０】
以下に、ディスクカートリッジ３０１からディスク１００を脱着する操作を図２から図５を用いて詳述する。
【００４１】
図４は脱落防止部材２３の一部が、ディスク１００の上方に突出し、ディスク１００がカートリッジ上体１２のディスク開口部１２ｗからディスク１００が脱落するのを防いでいる状態を示す。また図２は図４の状態でディスク１００が無い状態を示す。
【００４２】
図５は脱落防止材２３がスライドし、ディスク１００の上方に突出しない状態を示す。また図３は図５の状態でディスク１００が無い状態を示す。
【００４３】
図２において、第１のシャッタ２１および第２のシャッタ２２は閉塞状態にあり、回転部材２５とロック部材２４と弾性部材２７により閉塞状態は維持された状態にある。この時には図４に示すように、ディスク１００はディスク保持部２１ｄおよび２２ｄ、２２ｃにより保持固定されている。より詳しくは、ディスク保持部２１ｄおよび２２ｄ、２２ｃの斜面とディスク１００の外周部分とが当接することによって、第１のシャッタ２１および第２のシャッタ２２が閉塞した状態にあるとき、回転部材２５の切り欠き２５ｃが位置する領域において、ディスク収納部の側壁１２ｉにディスク１００の外側面が当接するように、ディスク保持部２１ｄおよび２２ｄ、２２ｃがディスク１００の中心をディスク収納部の中心に対してオフセットさせてディスク１００を保持している。同時に、ディスク保持部２１ｄおよび２２ｄ、２２ｃの斜面とディスク１００の外周部分とが当接することによって、ディスク１００をディスク収納部の底部側へ押し付ける。これにより、第１のシャッタ２１および第２のシャッタ２２ならびにディスクカートリッジ本体に対してディスク１００を固定する。また、ディスクの信号記録面１００Ｂの外周部分および内周部分を回転部材２５のディスク受け部２５ａおよびシャッタの凸部２０ｗに当接させ、これらによって信号記録面１００Ｂの信号記録領域を密閉して、信号記録領域に埃が付着するのを防止している。
【００４４】
脱落防止部材２３はディスク１００の上方に突出した状態である。ディスク１００が保持固定されている状態を維持できるのは、ディスク保持部２１ｄおよび２２ｄ、２２ｃを有する第１および第２のシャッタ２１、２２が閉塞状態を維持しているためである。
【００４５】
まず、前述の第１および第２のシャッタ２１、２２が閉塞状態を維持できる状況を図２により説明する。第１のシャッタ２１の回動は、案内溝２１ｓと回転部材２５の凸部２５ｅとの係合を介して回転部材２５により規制される。同様に、第２のシャッタ２２の回動は、案内溝２２ｓと回転部材２５の凸部２５ｆとの係合を介して回転部材２５により規制される。一方、回転部材２５は、ロック部材２４のロック先端部２４ｋが回転部材２５の係合窓２５ｋに係合し、弾性部材２７で回転部材２４側へ押圧しているため回転を規制されている。従って、ロック先端部２４ｋが係合窓２５ｋに係合している状態では、第１および第２のシャッタ２１、２２は閉塞状態を維持できることになる。
【００４６】
次に、脱落防止部材２３がディスク１００の上方に突出した状態を維持できる状況を同様に図２により説明する。脱落防止部材２３は両端にガイド部２３ｊ、２３ｋとカートリッジ上体１２にガイド溝１２ｊ、１２ｋを備えておりスライド移動できる形態である。ガイド部２３ｊ、２３ｋの先端部の係止爪２３ｃ、２３ｄがカートリッジ上体１２のガイド溝１２ｊ、１２ｋに係り止めしているためディスク１００に垂直な方向への抜けが規制されている。さらに脱落防止部材２３の蓋材２３ｇがカートリッジ下体１１の孔１１ｋに係合しているため、脱落防止部材２３は移動を規制されている。従って、係止爪２３ｃ、２３ｄとガイド溝１２ｊ、１２ｋとが係合かつ蓋材２３ｇと孔１１ｋとが係合している状態では、図４に示すように脱落防止部材２３はディスク１００の上方に突出した状態を維持できる。
【００４７】
また、脱落防止部材２３がディスク１００の上方に突出した状態では、連結開閉部材２６の先端のピン部２６ｐと回転部材２５の凹部２５ｍとは係合状態にはないので、ディスクカートリッジ３０１をドライブ装置に挿入して、ドライブ側の操作による通常の回転部材２５の回転動作に連結開閉部材２６は影響を与えない。またカートリッジ下体に連結開閉部材２６のガイド溝２６ａが位置する先端に凸部２６ｎと係合する凹部１１ｎを設けることにより、連結開閉部材の回動を規制することができる。
【００４８】
また、ロック部材を押圧している弾性部材は樹脂製のバネではないので高温、多湿によるクリープ等の弾性の劣化がほとんどなく回転部材の規制を損なうことはない。
【００４９】
次に、ディスクカートリッジ３０１からディスク１００を取り出す操作を説明する。まず操作者は蓋材２３ｇをペン先等で押圧して脱落防止部材２３から離脱する。この時履歴ホール２３ｈは開いた状態となる。次に、ロック部材２４の解除部２４ｓを指先等で押圧すると、ロック部材２４は回動孔２４ｈを中心に回動し、ロック先端部２４ｋは回転部材２５の係合窓２５ｋから離れる。次に、脱落防止部材２３の中央部近傍を図２のＡ方向に引っ張る。これにより脱落防止部材２３の固定は解除され移動自在な状態となる。脱落防止部材２３のこの移動に伴い、連結開閉部材２６のガイド溝２６ａは係合しているガイドピン２３ｍに案内され、回動孔２６ｈを中心に回動を始める。同時に連結開閉部材２６先端のピン部２６ｐはＢ方向に移動し始める。
【００５０】
さらに脱落防止部材２３の移動が進むと、連結開閉部材２６の回動も進み、かつピン部２６ｐもＢ方向に進む。これによりピン部２６ｐは回転部材２５の凹部２５ｍに係合していく。ピン部２６ｐが凹部２５ｍに係合した後は、脱落防止部材２３の移動に伴い連結開閉部材２６のピン部２６ｐは回転部材２５の回転軌道に沿って移動し、ピン部２６ｐと凹部２５ｍとの係合により回転部材２５は時計方向に回転することになる。
【００５１】
図３は脱落防止部材２３の移動が終了した状態である。これは脱落防止部材２３の移動により連結開閉部材２６を介して回転部材２５が回転し、さらに回転部材２５を介して第１および第２のシャッタ２１、２２が回動し、少し開放した状態を示す。この時、ディスク保持部２１ｄ、２２ｄはディスク開口部１２ｗ領域の外側へ移動している。
【００５２】
ディスク１００が有る状態を示したのが図５である。図５において、脱落防止部材２３はディスク１００の上方には突出していない。さらにディスク保持部２１ｄ、２２ｄもディスク開口部１２ｗには突出していない状態でかつ、ディスク１００は保持から開放された状態にある。
【００５３】
この時、操作者はディスク１００のセンタホール１００ｈに指を入れ、脱落防止部材２３近傍においてディスク１００をカートリッジ上体１２から浮かせて、ディスク１００をディスクカートリッジ３０１から取り出すことができる。
【００５４】
上述したように、蓋材２３ｇを離脱しないと脱落防止部材２３は移動できず、ディスク１００の取り出しもできないので、一度ディスク１００を取り出すと、蓋材２３ｇを離脱した後の取出し履歴ホール１１ｋが開く。ディスクカートリッジ３０１を装着するディスクドライブはこの取出し履歴ホール１１ｋの開閉状態を検出して、検出結果を記録・再生動作の制御に用いる。例えば、所定の規格で記録・再生の可能なディスクを収納したディスクカートリッジ３０１が製造された場合を考える。ディスクドライブは、挿入されたディスクカートリッジ３０１の取り出し履歴ホール１１ｋの状態を検出する。取出し履歴ホール１１ｋが閉じていると、ディスクドライブは、ディスクカートリッジが所定の規格で記録・再生が可能なディスクを収納していると判断する。そして、直ちにその規格で記録または再生の動作を行う。一方、取出し履歴ホール１１ｋが開いていると、ディスクドライブはディスクカートリッジに収められているディスクの種類が既知ではないと判断する。そして、ディスクドライブは、ディスクカートリッジ内のディスクがどのような種類のディスクであるかを決定するために、種々のテスト信号をディスクに照射してディスクの種類を確認する動作をまず行う。続いて、確認結果に基づいて、最適な条件でディスクへ信号を記録し、または、ディスクから信号を再生する。
【００５５】
次に、取り出したディスク１００を再度カートリッジ３０１に収納する方法を説明する。
【００５６】
操作者はディスク１００のセンタホール１００ｈに指を入れてディスク１００を持ち、脱落防止部材１２ｓの下方に潜り込ませながらディスク開口部１２ｗ内へ設置する。その後は、脱落防止部材２３をスライド移動させ元の位置に戻す。この動作に連動して、連結開閉部材２６は回転部材２５を反時計方向に回転させ、回転部材２５は第１および第２のシャッタ２１、２２を閉塞させる。同時に、ロック部材２４は反時計方向に回動することにより、係合窓２５ｋとロック先端部２４ｋは係合し、回転部材２５の回転は規制される。このときロック先端部２４ｋが確実に係合窓２５に係合させるため、ロック部材２４の側面２４ｄを弾性部材２７で押圧する。これにより、第１および第２のシャッタ２１、２２が閉塞し、ディスク保持部２１ｄ、２２ｄがディスク１００を保持する。
【００５７】
以上のように、ディスクカートリッジ３０１からディスク１００を取り出すには、ロック部材２４の押圧操作と脱落防止部材２３のスライド操作のみででき、取り出したディスク１００を元に戻す方法は、脱落防止部材２３を移動させ元の位置に戻すだけで完了する。
【００５８】
上記実施の形態で説明した脱落防止部材は、ディスクに対して略水平な面でスライド移動する内容であるが、例えば、図６のようにディスクに対して略水平な面で回動する方式あっても可能であり、同様の効果が得られる。さらには、脱落防止部材をカートリッジ本体に対し着脱する方式でも同様の効果が得られる。
【００５９】
また、上記実施の形態で、カートリッジ上体の上面に凸部または凹部、それに嵌合するように脱落防止部材に凹部または凸部が設けられ、脱落防止部材がディスク開口部に突出している状態では軽くロックするディスクカートリッジとして本発明を実施することができる。
【００６０】
また、上記実施の形態では、特にディスク１００の大きさについて言及しなかったが、１２ｃｍのディスクや、その他のサイズのディスクなど、種々のサイズのディスクを収納するディスクカートリッジとして本発明を実施することができる。
【００６１】
さらに、上記実施の形態では、ディスクカートリッジの外形は、ディスクよりわずかに大きい程度であるように図示されていたが、ディスクとディスクカートリッジとの大きさは、図示される関係に限定されるものではない。例えば、ディスクカートリッジの外形は１２ｃｍのディスクを収納できる程度に大きいが、ディスクカートリッジに設けられたディスク収納部やディスク保持部は８ｃｍのディスクを収納するのに適した大きさおよび構造であってもよい。このようなディスクカートリッジは、例えば、１２ｃｍディスク用記録／再生装置において、８ｃｍのディスクに対して記録／再生するためのアダプターとしても機能する。
【産業上の利用可能性】
【００６２】
本発明によれば、片面を露出させる構造を備え、薄型で、防塵性が高く、デザインに優れ、ディスクの取り出しも簡単で、種々のドライブ装置に使用可能なディスクカートリッジが提供される。
【図面の簡単な説明】
【００６３】
【図１】本発明の実施の形態１におけるディスクカートリッジの全体構造を示す斜視図
【図２】図１のディスクカートリッジで脱落防止部材が閉じている平面図
【図３】図１のディスクカートリッジで脱落防止部材が開いている平面図
【図４】図２のディスクカートリッジでディスクが挿入されている平面図
【図５】図３のディスクカートリッジでディスクが挿入されている平面図
【図６】図１のディスクカートリッジで脱落防止部材が回動して開いている平面図
【符号の説明】
【００６４】
１１    カートリッジ下体
１１ｋ    取出し履歴ホール
１１ｍ    軸
１１ｎ    凹部
１２    カートリッジ上体
１２ｓ    脱落防止材
１２ｗ    ディスク開口部
２１    第１のシャッタ
２２    第２のシャッタ
２１ｄ，２２ｄ，２２ｃ    ディスク保持部
２３    脱落防止部材
２３ｇ    蓋材
２３ｈ    履歴ホール
２３ｍ    ガイドピン
２４    ロック部材
２４ｋ    ロック先端部
２４ｓ    解除部
２５    回転部材
２５ｋ    係合窓
２５ｍ    凹部
２６    連結開閉部材
２６ａ    ガイド溝
２６ｐ    ピン部
２７    弾性部材
１００    ディスク
１００ｈ    ディスクセンターホール
３０１    ディスクカートリッジ
【図１】
2007026561.tif 000003
【図２】
2007026561.tif 000004
【図３】
2007026561.tif 000005
【図４】
2007026561.tif 000006
【図５】
2007026561.tif 000007
【図６】
2007026561.tif 000008